(57)【要約】【課題】フロアのレイアウトを柔軟に変更することができることは勿論、充分な機能を備えた空調設備を低コストで設置することができるため、居住者において大きな満足感を与えることができる組立家屋用空調設備を提供しようとするものである。【解決手段】玄関スペースの床面に敷設された平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備え、予め適温に制御された温水を貯水タンクから給湯管を介して前記浴槽に供給可能とし、また季節に応じて貯水タンク内に温水または水を満たして空調設備として利用できるようにしたことを特徴とする組立家屋用空調設備。【選択図】図１
2018003452.tif 000002
【特許請求の範囲】
【請求項１】
玄関スペースの床面に敷設された平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備え、予め適温に制御された温水を貯水タンクから給湯管を介して前記浴槽に供給可能とし、また季節に応じて貯水タンク内に温水または水を満たして空調設備として利用できるようにしたことを特徴とする組立家屋用空調設備。
【請求項２】
前記湯および水を混合して適温に制御する温度制御装置は、前記貯水タンクに湯を供給する給湯装置および水を供給する給水装置に設置したバルブからなることを特徴とする請求項１に記載の組立家屋用空調設備。
【請求項３】
前記玄関スペースの床面に敷設された平板状の貯水タンクは、熱伝導性の良い金属素材で作成され、前記玄関スペースにおいて熱を放射することによって効率的な空調設備として利用できるようにしたことを特徴とする請求項１または２に記載の組立家屋用空調設備。
【発明の詳細な説明】
【技術分野】
【０００１】
この発明は、工場で各部材のパネルを製造し、各部材のパネルを輸送車両を用いて現地へ運搬して、現地で簡単に組み立てることができるようにした組立家屋に用いられる組立家屋用空調設備に関するものである。
【背景技術】
【０００２】
従来、組立家屋としてはあらかじめ部材を工場で生産・加工し、建築現場で加工を行わず組み立てるだけの作業を行うようにしたプレハブ工法を用いたものがよく知られている。
そのようなプレハブ工法を用いた組立家屋の例を以下に示す。
１）実開昭６０−１３７００１号公報（特許文献１参照）には、パネルの辺部に切欠きを設け、それに合致する切欠きのある連結具により組み立てる組立て小屋が示されている。
２）特開昭６０−１４１９３７号公報（特許文献２参照）には、組立家屋において、
（イ）規格化された形状及び大きさに形成されている木製の壁パネルを所要枚数組合わせて構築される屋根部と、
（ロ）規格化された形状及び大きさに形成されている木製の壁パネルを、柱を介することなく所要枚数組合わせて構築される壁部とを具備し、
（ハ）屋根パネルの裏面であって壁パネルの上端部と接する箇所に取着部が設けられており、壁部の上に屋根部を載せ、この取着部と壁パネルとを固着して組み立てる
ことを特徴とする組立家屋が示されている。
３）特開昭４８−１００９１９号公報（特許文献３参照）には、柱と耐力壁とを一体としてなるＬ型、Ｔ型、Ｚ型、十字型等のブロック部材の一種または数種を建物の角隅部および要所に配し、これを梁または壁パネルでつないだラーメン構造としたことを特徴とするプレハブ建物が示されている。
【０００３】
また、工場で各部材のパネルを製造してあらかじめ最終的な構造に組み立ておき、これをそのまま輸送車両で運搬して、現地においては設置だけの作業を行うようにしたプレハブ工法も用いられている。
しかしながら、コンテナハウスのようなある程度大型の建築物をあらかじめ最終的な構造に組み立ておき、これをそのまま輸送車両で運搬する場合、日本の道路事情によって建築物を搭載した大型車両が一般道路を通行できないという問題が往々にして発生しやすく、国内事情によって普及が阻害されている。
【０００４】
そこで、前述のようなあらかじめ部材を工場で生産・加工し、建築現場で加工を行わず組み立てるだけの作業を行うようにしたプレハブ工法を用いた組立家屋を採用する必要が出てくるのであるが、従来のプレハブ工法を用いた組立家屋においては以下のような問題点が認められる。
ａ．ドアや窓等の開口部のレイアウトに自由度がなく、複数戸を並べて建築する場合に画一的にドアや窓等が配置された組立家屋が並ぶことになってしまい、居住者には非常に大きな不評を買ってしまうことになる。
ｂ．フロアのレイアウトに自由度がなく、複数戸を並べて建築する場合に画一的な間取りの組立家屋が並ぶことになってしまい、居住者には非常に大きな不評を買ってしまうことになる。
ｃ．壁部材の配置を変更することによってある程度のレイアウトの変更は可能であるが、ドアや窓等の開口部の配置が変らないので、前述のような画一性の問題は解消されない。
【０００５】
そこで本発明者は特願２０１２−９１２６５号（特開２０１３−２２１２４２号公報参照）において、フロアのレイアウトはもちろん、ドアや窓等の開口部のレイアウトにおいてもその配置を変更したり、表面・裏面もしくは上下を反転させることができるので、フロアのレイアウトのみならずドアや窓等の開口部のレイアウトにおいても飛躍的にバリエーションを増やすことができ、複数戸を並べて建築する場合にも画一的な間取りの組立家屋が並ぶことがなく、居住者において大きな満足感を与えることができる組立家屋を提供した。
【先行技術文献】
【特許文献】
【０００６】
【特許文献１】実開昭６０−１３７００１号公報
【特許文献２】特開昭６０−１４１９３７号公報
【特許文献３】特開昭４８−１００９１９号公報
【特許文献４】特開２０１３−２２１２４２号公報（特願２０１２−９１２６５号）
【発明の概要】
【発明が解決しようとする課題】
【０００７】
しかしながら、フロアのレイアウトはもちろん、ドアや窓等の開口部のレイアウトの柔軟性については上記発明で解決したが、組立家屋としても重要な空調設備については何ら解決していなかった。
そこでこの発明は、フロアのレイアウトを柔軟に変更することができることは勿論、充分な機能を備えた空調設備を低コストで設置することができるため、居住者において大きな満足感を与えることができる組立家屋用空調設備を提供しようとするものである。
【課題を解決するための手段】
【０００８】
すなわちこの発明の組立家屋用空調設備は、玄関スペースの床面に敷設された平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備え、予め適温に制御された温水を貯水タンクから給湯管を介して前記浴槽に供給可能とし、また季節に応じて貯水タンク内に温水または水を満たして空調設備として利用できるようにしたことを特徴とするものである。
【０００９】
この発明の組立家屋用空調設備において、前記湯および水を混合して適温に制御する温度制御装置は、前記貯水タンクに湯を供給する給湯装置および水を供給する給水装置に設置したバルブからなることをも特徴とするものである。
【００１０】
この発明の組立家屋用空調設備において、前記玄関スペースの床面に敷設された平板状の貯水タンクは、熱伝導性の良い金属素材で作成され、前記玄関スペースにおいて熱を放射することによって効率的な空調設備として利用できるようにしたことをも特徴とするものである。
【発明の効果】
【００１１】
この発明のプレハブ工法を用いた組立家屋における組立家屋用空調設備においては以下のような作用効果を奏することが認められる。
ａ．玄関スペースの床面に敷設された平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備えているので、予め適温に制御された温水を貯水タンクから給湯管を介して前記浴槽に供給することが可能であり、また季節に応じて貯水タンク内に温水または水を満たすことにより空調設備として利用できるので、充分な機能を備えた空調設備を低コストで設置することができるようになった。
ｂ．前記湯および水を混合して適温に制御する温度制御装置を、前記貯水タンクに湯を供給する給湯装置および水を供給する給水装置に設置したバルブで構成したので、簡単な設備でかつ低コストの組立家屋用空調設備を提供することができるようになった。
ｃ．前記玄関スペースの床面に敷設された平板状の貯水タンクを、熱伝導性の良い金属素材で作成し、前記玄関スペースにおいて熱を放射するようにしたので、非常に効率のよい組立家屋用空調設備を提供することができるようになった。
【図面の簡単な説明】
【００１２】
【図１】この発明の組立家屋用空調設備の１実施例を説明するための設備の配置を示す概略平面図である。
【図２】その概略斜視図である。
【図３】この発明の組立家屋用空調設備に用いられる貯水タンクの概略斜視図である。
【発明を実施するための形態】
【００１３】
以下図面に基づいて、この発明の組立家屋用空調設備の実施の形態を詳細に説明する。
図１および図２は、この発明の組立家屋用空調設備の１実施例を示すものである。
図１の設備の配置を示す概略平面図において、組立家屋１１の隣接するフロア１２，１３にはそれぞれフロア１２にキッチンスペース２１とフロア１３に浴室スペース３１とが設置されている。前記フロア１２のキッチンスペース２１にはＩＨレンジ２２およびシンク２３が設置されている。また、前記フロア１３の浴室スペース３１には浴槽３２が設置されている。
【００１４】
そして、前記フロア１２の玄関スペース４１には、その床面に図３に示すような平板状の貯水タンク４２が敷設されている。
この貯水タンク４２は、前記玄関スペース４１とほぼ等しい面積の、例えば幅が約１５０ｃｍで奥行きが約９０ｃｍ、高さが約７０ｃｍの直方体からなるステンレス製容器とすることが望ましい。
前記玄関スペース４１に設置した貯水タンク４２は、その上面にステンレス素材等と馴染みの良い無収縮モルタルを打設して被覆したり、目地材を用いてタイル等で被覆することができる。
また、前記貯水タンク４２には湯を供給する給湯管４３および水道水を供給する給水管４４が配管されており、該給湯管４３および給水管４４にはそれぞれバルブ４３ａ，４４ａが取り付けられていて、その給湯および給水量を制御するようになっている。図において４５は不要な水や湯を排出する水抜きバルブである。
【００１５】
前記貯水タンク４２には温度センサ４６が取り付けられており、この温度センサ４６のデータに基づいて前記バルブ４３ａ，４４ａを制御することにより、貯水タンク４２内の水や湯を適宜混合して、水温や湯温をコントロールすることができる。
このように、湯および水を混合して適温に制御する温度制御を、前記貯水タンク４２に設置した給湯管４３および給水管４４のバルブ４３ａ，４４ａで行うようにしたので、簡単な設備でかつ低コストの組立家屋用空調設備を提供することができるようになった。
【００１６】
前記貯水タンク４２に取り付けた給湯管４３は、組立家屋１１の室外に設置したボイラー４７と接続されていて、適宜高温の温水を貯水タンク４２に供給することができる。
また、前記玄関スペース４１の位置するフロア１２に隣接したフロア１３に配置された浴室スペース３１には浴槽３２が配置されており、該浴槽３２には前記貯水タンク４２と連通するように配管した給湯管３３から予め適温に調整された温湯が供給される。
前記給湯管４３や該給湯管３３としては、耐熱性に優れた素材からなるフレキシブルチューブを用いることが望ましい。
【００１７】
上述のように構成したボイラー４７、貯水タンク４２に取り付けた温度センサ４６、該温度センサ４６のデータに基づいて制御される前記バルブ４３ａ，４４ａ等からなる温度制御装置により、予め適温に制御された温水を貯水タンク４２から給湯管３３を介して前記浴槽３２に供給することができる。このように、適温に制御された温水を貯水タンク４２から給湯管３３を介して前記浴槽３２に供給するので、入浴時にあまり時間をかけないで浴槽３２に湯を満たすことができる。
もちろん、冬場は前記貯水タンク４２内に充填する温水を利用して暖房を行う。また夏場は前記貯水タンク４２内に充填する水を利用して冷房を行う。このように前記貯水タンク４２内に充填する温水や水を活用すれば、冬場や夏場等の季節に応じて空調設備としても利用することができる。なお、夏場は貯水タンク４２に水のみを貯めて冷房用に活用し、浴槽にはボイラー４７からの湯を給湯すればよい。
以上のように、前記貯水タンク４２内の温湯や水を用いて貯水タンク４２を空調設備として利用できるので、機能性の高い空調設備を低コストで設置することができる。
このような貯水タンク４２はさらに非常用の水を貯蔵しておく非常用タンクとしての機能を持たせることもできる。
【００１８】
また、フロア１２，１３等のフロアパターンは図示したものに限定されるものではなく、組立家屋１１の床部材および壁部材の配置パターンにおいて、種々のパターンを採用することができる。
したがって、組立家屋のメーカーや購入者は、多様なバリエーションの中から希望するフロアのレイアウトを選ぶことができるようになる。
さらに、前記給湯管４３および給水管４４、給湯管３３等は、組立家屋１１を構成する各部材パネルの内部に予め設けられた溝や空洞内に配管することができる。
【産業上の利用可能性】
【００１９】
この発明は以上のように構成されており、災害時における応急仮設住宅として居住者に十分な満足感を与えることが可能なグレードの高い組立家屋を提供することができる。
【００２０】
また、避暑地や別荘地における住居としても、多様なバリエーションの中から希望するフロアのレイアウトを選ぶことができるため、コスト以上に満足感の高い組立家屋を供給することができる。
また、個々の組立家屋を連結することにより、部屋数を増加させたり、集合住宅の建設にも利用することができる。
【符号の説明】
【００２１】
１１  組立家屋
１２，１３  フロア
２１  キッチンスペース
２２  ＩＨレンジ
２３  シンク
３１  浴室スペース
３２  浴槽
３３  給湯管
４１  玄関スペース
４２  貯水タンク
４３  給湯管
４３ａ  バルブ
４４  給水管
４４ａ  バルブ
４５  水抜きバルブ
４６  温度センサ
４７  ボイラー
【図１】
2018003452.tif 000003
【図２】
2018003452.tif 000004
【図３】
2018003452.tif 000005
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
玄関スペースの床面に敷設された、熱伝導性の良い金属素材で作成され、前記玄関スペースにおいて熱を放射する平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備え、予め適温に制御された温水を貯水タンクから給湯管を介して前記浴槽に供給可能とし、また季節に応じて貯水タンク内に温水または水を満たして空調設備として利用できるようにしたことを特徴とする組立家屋用空調設備。
【請求項２】
前記湯および水を混合して適温に制御する温度制御装置は、前記貯水タンクに湯を供給する給湯装置および水を供給する給水装置に設置したバルブからなることを特徴とする請求項１に記載の組立家屋用空調設備。
【手続補正２】
【補正対象書類名】明細書
【補正対象項目名】全文
【補正方法】変更
【補正の内容】
【発明の詳細な説明】
【技術分野】
【０００１】
この発明は、工場で各部材のパネルを製造し、各部材のパネルを輸送車両を用いて現地へ運搬して、現地で簡単に組み立てることができるようにした組立家屋に用いられる組立家屋用空調設備に関するものである。
【背景技術】
【０００２】
従来、組立家屋としてはあらかじめ部材を工場で生産・加工し、建築現場で加工を行わず組み立てるだけの作業を行うようにしたプレハブ工法を用いたものがよく知られている。
そのようなプレハブ工法を用いた組立家屋の例を以下に示す。
１）実開昭６０−１３７００１号公報（特許文献１参照）には、パネルの辺部に切欠きを設け、それに合致する切欠きのある連結具により組み立てる組立て小屋が示されている。
２）特開昭６０−１４１９３７号公報（特許文献２参照）には、組立家屋において、
（イ）規格化された形状及び大きさに形成されている木製の壁パネルを所要枚数組合わせて構築される屋根部と、
（ロ）規格化された形状及び大きさに形成されている木製の壁パネルを、柱を介することなく所要枚数組合わせて構築される壁部とを具備し、
（ハ）屋根パネルの裏面であって壁パネルの上端部と接する箇所に取着部が設けられており、壁部の上に屋根部を載せ、この取着部と壁パネルとを固着して組み立てる
ことを特徴とする組立家屋が示されている。
３）特開昭４８−１００９１９号公報（特許文献３参照）には、柱と耐力壁とを一体としてなるＬ型、Ｔ型、Ｚ型、十字型等のブロック部材の一種または数種を建物の角隅部および要所に配し、これを梁または壁パネルでつないだラーメン構造としたことを特徴とするプレハブ建物が示されている。
【０００３】
また、工場で各部材のパネルを製造してあらかじめ最終的な構造に組み立ておき、これをそのまま輸送車両で運搬して、現地においては設置だけの作業を行うようにしたプレハブ工法も用いられている。
しかしながら、コンテナハウスのようなある程度大型の建築物をあらかじめ最終的な構造に組み立ておき、これをそのまま輸送車両で運搬する場合、日本の道路事情によって建築物を搭載した大型車両が一般道路を通行できないという問題が往々にして発生しやすく、国内事情によって普及が阻害されている。
【０００４】
そこで、前述のようなあらかじめ部材を工場で生産・加工し、建築現場で加工を行わず組み立てるだけの作業を行うようにしたプレハブ工法を用いた組立家屋を採用する必要が出てくるのであるが、従来のプレハブ工法を用いた組立家屋においては以下のような問題点が認められる。
ａ．ドアや窓等の開口部のレイアウトに自由度がなく、複数戸を並べて建築する場合に画一的にドアや窓等が配置された組立家屋が並ぶことになってしまい、居住者には非常に大きな不評を買ってしまうことになる。
ｂ．フロアのレイアウトに自由度がなく、複数戸を並べて建築する場合に画一的な間取りの組立家屋が並ぶことになってしまい、居住者には非常に大きな不評を買ってしまうことになる。
ｃ．壁部材の配置を変更することによってある程度のレイアウトの変更は可能であるが、ドアや窓等の開口部の配置が変らないので、前述のような画一性の問題は解消されない。
【０００５】
そこで本発明者は特願２０１２−９１２６５号（特開２０１３−２２１２４２号公報参照）において、フロアのレイアウトはもちろん、ドアや窓等の開口部のレイアウトにおいてもその配置を変更したり、表面・裏面もしくは上下を反転させることができるので、フロアのレイアウトのみならずドアや窓等の開口部のレイアウトにおいても飛躍的にバリエーションを増やすことができ、複数戸を並べて建築する場合にも画一的な間取りの組立家屋が並ぶことがなく、居住者において大きな満足感を与えることができる組立家屋を提供した。
【先行技術文献】
【特許文献】
【０００６】
【特許文献１】実開昭６０−１３７００１号公報
【特許文献２】特開昭６０−１４１９３７号公報
【特許文献３】特開昭４８−１００９１９号公報
【特許文献４】特開２０１３−２２１２４２号公報（特願２０１２−９１２６５号）
【発明の概要】
【発明が解決しようとする課題】
【０００７】
しかしながら、フロアのレイアウトはもちろん、ドアや窓等の開口部のレイアウトの柔軟性については上記発明で解決したが、組立家屋としても重要な空調設備については何ら解決していなかった。
そこでこの発明は、フロアのレイアウトを柔軟に変更することができることは勿論、充分な機能を備えた空調設備を低コストで設置することができるため、居住者において大きな満足感を与えることができる組立家屋用空調設備を提供しようとするものである。
【課題を解決するための手段】
【０００８】
すなわちこの発明の組立家屋用空調設備は、玄関スペースの床面に敷設された、熱伝導性の良い金属素材で作成され、前記玄関スペースにおいて熱を放射する平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備え、予め適温に制御された温水を貯水タンクから給湯管を介して前記浴槽に供給可能とし、また季節に応じて貯水タンク内に温水または水を満たして空調設備として利用できるようにしたことを特徴とするものである。
【０００９】
この発明の組立家屋用空調設備において、前記湯および水を混合して適温に制御する温度制御装置は、前記貯水タンクに湯を供給する給湯装置および水を供給する給水装置に設置したバルブからなることをも特徴とするものである。
【発明の効果】
【００１０】
この発明のプレハブ工法を用いた組立家屋における組立家屋用空調設備においては以下のような作用効果を奏することが認められる。
ａ．玄関スペースの床面に敷設された平板状の貯水タンクと、前記玄関スペースと隣接した位置に配置され、前記貯水タンクと連通するよう給湯管を接続された浴槽を内蔵している浴室と、組立家屋の適所に配置され、前記貯水タンクに湯を供給する給湯装置および水を供給する給水装置と、前記貯水タンクに付設されて前記湯および水を混合して適温に制御する温度制御装置とを備えているので、予め適温に制御された温水を貯水タンクから給湯管を介して前記浴槽に供給することが可能であり、また季節に応じて貯水タンク内に温水または水を満たすことにより空調設備として利用できるので、充分な機能を備えた空調設備を低コストで設置することができるようになった。
ｂ．前記湯および水を混合して適温に制御する温度制御装置を、前記貯水タンクに湯を供給する給湯装置および水を供給する給水装置に設置したバルブで構成したので、簡単な設備でかつ低コストの組立家屋用空調設備を提供することができるようになった。
ｃ．前記玄関スペースの床面に敷設された平板状の貯水タンクを、熱伝導性の良い金属素材で作成し、前記玄関スペースにおいて熱を放射するようにしたので、非常に効率のよい組立家屋用空調設備を提供することができるようになった。
【図面の簡単な説明】
【００１１】
【図１】この発明の組立家屋用空調設備の１実施例を説明するための設備の配置を示す概略平面図である。
【図２】その概略斜視図である。
【図３】この発明の組立家屋用空調設備に用いられる貯水タンクの概略斜視図である。
【発明を実施するための形態】
【００１２】
以下図面に基づいて、この発明の組立家屋用空調設備の実施の形態を詳細に説明する。
図１および図２は、この発明の組立家屋用空調設備の１実施例を示すものである。
図１の設備の配置を示す概略平面図において、組立家屋１１の隣接するフロア１２，１３にはそれぞれフロア１２にキッチンスペース２１とフロア１３に浴室スペース３１とが設置されている。前記フロア１２のキッチンスペース２１にはＩＨレンジ２２およびシンク２３が設置されている。また、前記フロア１３の浴室スペース３１には浴槽３２が設置されている。
【００１３】
そして、前記フロア１２の玄関スペース４１には、その床面に図３に示すような平板状の貯水タンク４２が敷設されている。
この貯水タンク４２は、前記玄関スペース４１とほぼ等しい面積の、例えば幅が約１５０ｃｍで奥行きが約９０ｃｍ、高さが約７０ｃｍの直方体からなるステンレス製容器とすることが望ましい。
前記玄関スペース４１に設置した貯水タンク４２は、その上面にステンレス素材等と馴染みの良い無収縮モルタルを打設して被覆したり、目地材を用いてタイル等で被覆することができる。
また、前記貯水タンク４２には湯を供給する給湯管４３および水道水を供給する給水管４４が配管されており、該給湯管４３および給水管４４にはそれぞれバルブ４３ａ，４４ａが取り付けられていて、その給湯および給水量を制御するようになっている。図において４５は不要な水や湯を排出する水抜きバルブである。
【００１４】
前記貯水タンク４２には温度センサ４６が取り付けられており、この温度センサ４６のデータに基づいて前記バルブ４３ａ，４４ａを制御することにより、貯水タンク４２内の水や湯を適宜混合して、水温や湯温をコントロールすることができる。
このように、湯および水を混合して適温に制御する温度制御を、前記貯水タンク４２に設置した給湯管４３および給水管４４のバルブ４３ａ，４４ａで行うようにしたので、簡単な設備でかつ低コストの組立家屋用空調設備を提供することができるようになった。
【００１５】
前記貯水タンク４２に取り付けた給湯管４３は、組立家屋１１の室外に設置したボイラー４７と接続されていて、適宜高温の温水を貯水タンク４２に供給することができる。
また、前記玄関スペース４１の位置するフロア１２に隣接したフロア１３に配置された浴室スペース３１には浴槽３２が配置されており、該浴槽３２には前記貯水タンク４２と連通するように配管した給湯管３３から予め適温に調整された温湯が供給される。
前記給湯管４３や該給湯管３３としては、耐熱性に優れた素材からなるフレキシブルチューブを用いることが望ましい。
【００１６】
上述のように構成したボイラー４７、貯水タンク４２に取り付けた温度センサ４６、該温度センサ４６のデータに基づいて制御される前記バルブ４３ａ，４４ａ等からなる温度制御装置により、予め適温に制御された温水を貯水タンク４２から給湯管３３を介して前記浴槽３２に供給することができる。このように、適温に制御された温水を貯水タンク４２から給湯管３３を介して前記浴槽３２に供給するので、入浴時にあまり時間をかけないで浴槽３２に湯を満たすことができる。
もちろん、冬場は前記貯水タンク４２内に充填する温水を利用して暖房を行う。また夏場は前記貯水タンク４２内に充填する水を利用して冷房を行う。このように前記貯水タンク４２内に充填する温水や水を活用すれば、冬場や夏場等の季節に応じて空調設備としても利用することができる。なお、夏場は貯水タンク４２に水のみを貯めて冷房用に活用し、浴槽にはボイラー４７からの湯を給湯すればよい。
以上のように、前記貯水タンク４２内の温湯や水を用いて貯水タンク４２を空調設備として利用できるので、機能性の高い空調設備を低コストで設置することができる。
このような貯水タンク４２はさらに非常用の水を貯蔵しておく非常用タンクとしての機能を持たせることもできる。
【００１７】
また、フロア１２，１３等のフロアパターンは図示したものに限定されるものではなく、組立家屋１１の床部材および壁部材の配置パターンにおいて、種々のパターンを採用することができる。
したがって、組立家屋のメーカーや購入者は、多様なバリエーションの中から希望するフロアのレイアウトを選ぶことができるようになる。
さらに、前記給湯管４３および給水管４４、給湯管３３等は、組立家屋１１を構成する各部材パネルの内部に予め設けられた溝や空洞内に配管することができる。
【産業上の利用可能性】
【００１８】
この発明は以上のように構成されており、災害時における応急仮設住宅として居住者に十分な満足感を与えることが可能なグレードの高い組立家屋を提供することができる。
【００１９】
また、避暑地や別荘地における住居としても、多様なバリエーションの中から希望するフロアのレイアウトを選ぶことができるため、コスト以上に満足感の高い組立家屋を供給することができる。
また、個々の組立家屋を連結することにより、部屋数を増加させたり、集合住宅の建設にも利用することができる。
【符号の説明】
【００２０】
１１  組立家屋
１２，１３  フロア
２１  キッチンスペース
２２  ＩＨレンジ
２３  シンク
３１  浴室スペース
３２  浴槽
３３  給湯管
４１  玄関スペース
４２  貯水タンク
４３  給湯管
４３ａ  バルブ
４４  給水管
４４ａ  バルブ
４５  水抜きバルブ
４６  温度センサ
４７  ボイラー